(57)【要約】      （修正有）【課題】エスカレータ利用者が踏段上を歩行することを抑制することができるエスカレータの歩行抑制装置を提供する。【解決手段】エスカレータの歩行抑制装置において、無端条に連結されて循環移動する複数の踏段１に設けられ、踏段１の踏板６の上面から上方向きに突出した歩行抑制材１１を備える。歩行抑制材１１は、ゴムなどの可撓性を有する材料で形成され、矩形状に形成されており、歩行禁止である旨の注意書きが書き込まれ、適宜な色又はデザインとすることが可能である。【選択図】図１
2010006493.tif 000002
【特許請求の範囲】
【請求項１】
無端条に連結されて循環移動する複数の踏段に設けられ、前記踏段の踏板の上面から上方向きに突出した歩行抑制材を備えることを特徴とするエスカレータの歩行抑制装置。
【請求項２】
前記歩行抑制材は、可撓性を有する材料で形成されていることを特徴とする請求項１記載のエスカレータの歩行抑制装置。
【請求項３】
前記踏段に取付部が設けられ、前記歩行抑制材は前記取付部に着脱可能に引っ掛けられていることを特徴とする請求項１又は２記載のエスカレータの歩行抑制装置。
【請求項４】
中空状の前記踏段の内部に設けられた取付部と、前記踏板に形成されて前記踏段の移動方向と直交する横幅方向に延出したスリットとを備え、前記歩行抑制材は前記スリットから前記踏段の内部に挿入されて前記取付部に着脱可能に引っ掛けられていることを特徴とする請求項１又は２記載のエスカレータの歩行抑制装置。
【請求項５】
前記歩行抑制材は、エスカレータ利用者から見える位置に位置して歩行禁止である旨の注意書きが書き込まれた注意書き書込み面を備えることを特徴とする請求項１ないし４のいずれか一に記載のエスカレータの歩行抑制装置。
【発明の詳細な説明】
【技術分野】
【０００１】
本発明は、エスカレータ利用者が踏段上を歩行することを抑制するエスカレータの歩行抑制装置に関する。
【背景技術】
【０００２】
エスカレータの安全基準は、エスカレータ利用者が踏段上に立ち止まっていることを前提としている。しかし、実際には踏段上を歩行するエスカレータ利用者が多く、この歩行に伴ない、前方にいるエスカレータ利用者にぶつかったり、歩行時の振動によってエスカレータが急停止することがあり、危険である。
【０００３】
エスカレータ利用者が踏段上を歩行する原因の一つは、エスカレータの安全基準の前提が、エスカレータ利用者は踏段上を歩行しないことであることが周知されていないためである。
【０００４】
このため、下記特許文献１に記載されたようなアナウンス装置を用い、エスカレータ利用者に対して踏段上を歩行しないようにアナウンスしている。
【特許文献１】特開２００５−２７２０３０号公報
【発明の開示】
【発明が解決しようとする課題】
【０００５】
しかしながら、アナウンス装置を用いて踏段上を歩行しないようにアナウンスしても、アナウンスによる歩行抑制効果は低く、踏段上を歩行するエスカレータ利用者は後を絶たない。
【０００６】
本発明はこのような課題を解決するためになされたもので、その目的は、エスカレータ利用者が踏段上を歩行することを効果的に抑制することができるエスカレータの歩行抑制装置を提供することである。
【課題を解決するための手段】
【０００７】
本発明の実施の形態に係る特徴は、エスカレータの歩行抑制装置において、無端条に連結されて循環移動する複数の踏段に設けられ、前記踏段の踏板の上面から上方向きに突出した歩行抑制材を備えることである。
【発明の効果】
【０００８】
本発明によれば、エスカレータ利用者が踏段上を歩行することを効果的に抑制することができる。
【発明を実施するための最良の形態】
【０００９】
以下、本発明の実施の形態を図面を用いて説明する。
【００１０】
図１は、歩行抑制装置を備えたエスカレータを示す斜視図である。エスカレータは、無端条に連結されて上階と下階との間を循環移動する複数の踏段１を備えている。踏段１の移動方向と直交する方向の両側には、スカートガード２と欄干３とが配置されている。欄干３の外周部には、踏段１と同期して循環移動する手摺ベルト４が設けられている。
【００１１】
踏段１は、図２に示すように、支持枠５と、支持枠５に固定された踏板６及び蹴上板７を備えて中空状に形成されている。支持枠５には、一対の前輪８と一対の後輪９とが取付けられている。
【００１２】
踏段１の内部には取付部１０が設けられ、この取付部１０に歩行抑制材１１が着脱可能に取付けられている。
【００１３】
取付部１０は、図４に示すように断面形状がＬ字形に形成され、溶接又はネジ止めによって支持枠５に固定されている。取付部１０には、歩行抑制材１１を引っ掛けて支持するための複数のネジ棒部１２が固定されている。
【００１４】
踏板６は、エスカレータ利用者が搭乗する部分であり、一端が蹴上板７の一端側と繋がっている。この踏板６における蹴上板７と繋がれた側の端部には、踏段１の移動方向と直交する横幅方向に延出したスリット１３が形成されている。
【００１５】
歩行抑制材１１は、ゴムなどの可撓性を有する材料で形成され、及び、図５に示すように矩形状に形成されている。歩行抑制材１１の一端側には、取付部１０のネジ棒部１２に引っ掛けられる複数の取付穴１４が形成されている。歩行抑制材１１の取付けは、歩行抑制材１１における取付穴１４が形成された一端側をスリット１３から踏段１の内部に挿入し、取付穴１４を取付部１０のネジ棒部１２に引っ掛け、ネジ棒部１２にナット１５を螺合させることにより行なわれている。踏段１への取付けが行なわれた歩行抑制材１１の他端側は、スリット１３を通過して踏板６の上面から上方向きに突出している。
【００１６】
歩行抑制材１１には、踏段１への取付けが行なわれた状態においてエレベータ利用者から見える位置、具体的には、踏板６の上面から上方向きに突出した位置が、歩行禁止である旨の注意書きが書き込まれた注意書き書込み面１６とされている。なお、図５には歩行抑制材１１の一方の面に設けられた注意書き書込み面１６のみを示しているが、その裏面側も注意書き書込み面とされている。
【００１７】
歩行抑制材１１は、適宜な色又はデザインとすることが可能である。例えば、歩行抑制材１１をエスカレータが設置されている建物に合った色やデザインとすることができ、あるいは、歩行抑制材１１の存在をエスカレータ利用者に対して視覚的に注意を喚起できる色やデザインとすることができる。
【００１８】
このような構成において、このエスカレータによれば、歩行抑制材１１が踏板６の上面から上方向き突出しているため、エスカレータ利用者に対してエスカレータが歩行禁止である旨の注意を喚起することができ、エスカレータ利用者が踏段１上を歩行することを抑制することができる。
【００１９】
しかも、歩行抑制材１１に注意書き書込み面１６を設け、この注意書き書込み面１６に歩行禁止である旨の書き込みをすることにより、エスカレータ利用者に対する歩行禁止である旨の注意喚起を高めることができる。
【００２０】
踏段１への歩行抑制材１１の取付けは、歩行抑制材１１の一端側をスリット１３から踏段１の内部に挿入し、踏段１内に挿入した歩行抑制材１１の取付穴１４を取付部１０のネジ棒部１２に引っ掛け、ネジ棒部１２にナット１５を螺合させることにより行なうことができる。したがって、踏段１への歩行抑制材１１の取付けを、手間をかけず短時間で行なうことができる。歩行抑制材１１の取外しは、ナット１５を外してネジ棒部１２への取付穴１４の引っ掛けを外し、歩行抑制材１１をスリット１３から抜き取る向きに引っ張ればよい。したがって、踏段１からの歩行抑制材１１の取外しを、手間をかけず短時間で行うことができる。
【００２１】
歩行抑制材１１はゴムなどの可撓性を有する材料で形成されているため、エスカレータの降り口では、図６に示すように、踏段１の移動と共に歩行抑制材１１が撓んで床面１７の下側に入り込むため、歩行抑制材１１が存在しても踏段１の循環移動がスムーズに行なわれる。また、エスカレータの乗り口で踏段１が床面１７の下側から出てくる場合には、図７に示すように撓んでいた歩行抑制材１１が立ち上がるため、歩行抑制材１１による歩行禁止である旨の注意喚起性能を保つことができる。
【００２２】
また、歩行抑制材１１はゴムなどの可撓性を有する材料で形成されているため、エスカレータ利用者が歩行抑制材１１を踏んだ場合には歩行抑制材１１が撓み、エスカレータ利用者が歩行抑制材１１を踏んだためにつまづくということが防止される。
【００２３】
なお、歩行抑制材１１に発光手段を設けてもよい。発光手段としては、例えば、ＥＬシートを用いることができ、ＥＬシートを二重構造とした歩行抑制材１１の間に挟み込んで設置することができる。歩行抑制材１１に設けた発光手段を常時点灯させ、又は、間欠的に点灯させることにより、歩行抑制材１１の存在をエスカレータ利用者に対して効果的に知らせることができ、踏段１上の歩行を抑制する効果を高めることができる。
【００２４】
また、歩行抑制材１１に、音声出力手段を設けてもよい。音声出力手段としては、例えば、人の存在を検知した場合や、所定の間隔で警報を発する電子音警報器などを用いることができる。歩行抑制材１１に音声出力手段を設けることにより、足元から発する音声によって歩行抑制材１１の存在をエスカレータ利用者に対して効果的に知らせることができ、踏段１上の歩行を抑制する効果を高めることができる。
【図面の簡単な説明】
【００２５】
【図１】本発明の一実施の形態に係るエスカレータの歩行抑制装置を示す斜視図である。
【図２】歩行抑制材が取付けられた踏段を示す側面図である。
【図３】歩行抑制材が取り付けらる前の踏段を示す斜視図である。
【図４】取付部を示す斜視図である。
【図５】歩行抑制材を示す斜視図である。
【図６】踏段が床板の下側に入り込むエスカレータ降り口の状態を示す側面図である。
【図７】踏段が床板の下側から出て来るエスカレータ乗り口の状態を示す側面図である。
【符号の説明】
【００２６】
１      踏段
６      踏板
１０      取付部
１１      歩行抑制材
１３      スリット
１６      注意書き書込み面
【図１】
2010006493.tif 000003
【図２】
2010006493.tif 000004
【図３】
2010006493.tif 000005
【図４】
2010006493.tif 000006
【図５】
2010006493.tif 000007
【図６】
2010006493.tif 000008
【図７】
2010006493.tif 000009